(57)【要約】      （修正有）【課題】対象物の上にテープを附着してカッティングする作業を自動的に行うことができるテープディスペンサーが適用されたデジタルカッティングシステムを提供する。【解決手段】下端にカッティング刃を有し、シリンダーのロードに中央部が連結されて、ロードがシリンダーから進出する時、カッティング刃が下側に回動してテープをカッティングし、ロードがシリンダーの内部に進入する時、カッティング刃が上側に回動するカッターと、カッターの上側部に連結され、シリンダーのロードが進出又は進入する時回転し、両端に駆動ギアを有する駆動ローラーと、駆動ギアに噛合されて回転する従動ギアが両端に備えられた従動ローラーと、従動ギアの外側面に設置され、従動ローラーが回転する時一緒に回転する移動フレームと、移動フレームに設置され、テープを支持するとともに、カッティング刃の方にテープを案内する支持ローラー体と、を備える。【選択図】図３
2017202932.tif 000002
【特許請求の範囲】
【請求項１】
対象物が設置された作業テーブルの上でレールに沿って、Ｘ軸、Ｙ軸、及びＺ軸の方向に動作するヘッドに装着され、前記対象物にテープを附着するテープディスペンサーが適用されたデジタルカッティングシステムにあって、
前記テープディスペンサーは、
上端にテープが巻取されている支持台と、
前記支持台の下端両側に設置される固定フレームと、
前記固定フレームの間に設置されるシリンダーと、
下端にカッティング刃を有し、前記シリンダーのロードに中央部が連結されて、ロードがシリンダーから進出する時、前記カッティング刃が下側に回動してテープをカッティングし、ロードがシリンダーの内部に進入する時、前記カッティング刃が上側に回動するカッターと、
前記カッターの上側部に連結され、前記シリンダーのロードが進出又は進入する時回転し、両端に駆動ギアを有する駆動ローラーと、
前記駆動ギアに噛合されて回転する従動ギアが両端に備えられた従動ローラーと、
前記従動ギアの外側面に設置され、前記従動ローラーが回転する時一緒に回転する移動フレームと、
前記移動フレームに設置され、前記テープを支持するとともに、前記カッティング刃の方にテープを案内する支持ローラー体と、
を備えることを特徴とするテープディスペンサーが適用されたデジタルカッティングシステム。
【請求項２】
前記固定フレームの上側には、前記支持台から供給されたテープの一方面を支持する第１上部ローラーが設置され、
前記第１上部ローラーの下側には、テープの粘っこい他方面を接触して支持する第２上部ローラーが設置されることを特徴とする請求項１に記載のテープディスペンサーが適用されたデジタルカッティングシステム。
【請求項３】
前記支持ローラー体は、
前記第２上部ローラーにより支持されて案内されたテープの一方面を支持する第１ローラーと、
前記第１ローラーの下側に設置され、第１ローラーにより支持されて案内されたテープの一方面を支持する第２ローラーと、
前記第２ローラーのそばに設置され、第２ローラーにより支持されて案内されたテープの粘っこい他方面を接触して支持する第３ローラーと、
前記第３ローラーのそばに設置され、前記テープを前記カッターのカッティング刃の方に案内し、テープの粘っこい面が対象物の方に向けるようにする第４ローラーと、
を有することを特徴とする請求項２に記載のテープディスペンサーが適用されたデジタルカッティングシステム。
【請求項４】
前記固定フレームの下側には、前記カッターのカッティング刃により切断したテープの上面を加圧する加圧手段が設置されることを特徴とする請求項１に記載のテープディスペンサーが適用されたデジタルカッティングシステム。
【請求項５】
前記加圧手段は、
前記固定フレームに設置される固定台と、
前記固定台の底面に設置される加圧スプリングと、
前記固定フレームに形成された嵌合ホールに両端が挿入されて前記嵌合ホールに沿って上下に動いて、前記加圧スプリングにより加圧される加圧台と、
前記加圧台に回転自在に設置され、前記カッティング刃により切断したテープの上面を加圧する加圧ローラーと、
を有することを特徴とする請求項４に記載のテープディスペンサーが適用されたデジタルカッティングシステム。
【発明の詳細な説明】
【技術分野】
【０００１】
本発明は、テープディスペンサーが適用されたデジタルカッティングシステム、特に、テープを所望の位置及び所望の形象に自動附着しカッティングすることができるテープディスペンサーが適用されたデジタルカッティングシステムに関するものである。
【背景技術】
【０００２】
一般的に、デジタルカッティングシステムは、加工物の固定のための作業テーブルと、レールに沿って、Ｘ軸方向、Ｙ軸方向、及びＺ軸方向に動作するヘッドと、前記ヘッドに設置されて、加工物を加工するカッターアセンブリーのような各種のツールと、前記カッターアセンブリーのようなツールを駆動するための駆動部及び前記駆動部の制御のためのコントロールパネルを含むハードウェアと、前記ハードウェアを運用するためのコンピューター制御システムと、前記コンピューター制御システムでいろいろな作業を行うためのハードウェア作動に係わる作業プログラムのようなソフトウェアと、などを有する。
【０００３】
これにより、前記デジタルカッティングシステムは、設備の稼動をＯＮにすれば、既設定のプログラムによってカッティング作業のような加工物に対する加工作業が行われる。
【０００４】
しかし、前記のようなデジタルカッティングシステムが行ういろいろな作業の中で、加工物の表面にテープを自動附着するための作業を行うツールをデジタルカッティングシステムに組み合せる技術は、いまだに提示されていない。
【先行技術文献】
【特許文献】
【０００５】
【特許文献１】韓国登録特許第１０−１０７７４５６号
【発明の概要】
【発明が解決しようとする課題】
【０００６】
本発明は、前記の従来技術の問題点を解決するために案出されたことであり、対象物の上の所望の位置及び所望の形象にテープを自動附着しカッティングする作業を自動的に行うことができるテープディスペンサーが適用されたデジタルカッティングシステムを提供することを、その目的とする。
【課題を解決するための手段】
【０００７】
前記課題を解決するための本発明によるテープディスペンサーが適用されたデジタルカッティングシステムは、対象物が設置された作業テーブルの上でレールに沿ってＸ軸、Ｙ軸、及びＺ軸の方向に動作するヘッドに装着され、前記対象物にテープを附着するテープディスペンサーが適用されたデジタルカッティングシステムにあって、前記テープディスペンサーは、上端にテープが巻取されている支持台と、前記支持台の下端両側に設置される固定フレームと、前記固定フレームの間に設置されるシリンダーと、下端にカッティング刃を有し、前記シリンダーのロードに中央部が連結されて、ロードがシリンダーから進出する時、前記カッティング刃が下側に回動してテープをカッティングし、ロードがシリンダーの内部に進入する時、前記カッティング刃が上側に回動するカッターと、前記カッターの上側部に連結され、前記シリンダーのロードが進出又は進入する時回転し、両端に駆動ギアを有する駆動ローラーと、前記駆動ギアに噛合されて回転する従動ギアが両端に備えられた従動ローラーと、前記従動ギアの外側面に設置され、前記従動ローラーが回転する時一緒に回転する移動フレームと、前記移動フレームに設置され、前記テープを支持するとともに、前記カッティング刃の方にテープを案内する支持ローラー体と、を備えることを特徴とする。
【０００８】
ここで、前記固定フレームの上側には前記支持台から供給されたテープの一方面を支持する第１上部ローラーが設置され、前記第１上部ローラーの下側にはテープの粘っこい他方面を接触して支持する第２上部ローラーが設置されることを特徴とする。
【０００９】
そして、前記支持ローラー体は、前記第２上部ローラーにより支持されて案内されたテープの一方面を支持する第１ローラーと、前記第１ローラーの下側に設置され、第１ローラーにより支持されて案内されたテープの一方面を支持する第２ローラーと、前記第２ローラーのそばに設置され、第２ローラーにより支持されて案内されたテープの粘っこい他方面を接触して支持する第３ローラーと、前記第３ローラーのそばに設置され、前記テープを前記カッターのカッティング刃の方に案内し、テープの粘っこい面が対象物の方に向けるようにする第４ローラーと、を有することを特徴とする。
【００１０】
また、前記固定フレームの下側には、前記カッターのカッティング刃により切断したテープの上面を加圧する加圧手段が設置されることを特徴とする。
【００１１】
また、前記加圧手段は、前記固定フレームに設置される固定台と、前記固定台の底面に設置される加圧スプリングと、前記固定フレームに形成された嵌合ホールに両端が挿入されて前記嵌合ホールに沿って上下に動いて、前記加圧スプリングにより加圧される加圧台と、前記加圧台に回転自在に設置され、前記カッティング刃により切断したテープの上面を加圧する加圧ローラーと、を有することを特徴とする。
【発明の効果】
【００１２】
前記のような構成の本発明のテープディスペンサーが適用されたデジタルカッティングシステムは、シリンダーの作動のみでカッターを回動させて対象物の上にテープを附着しカッティングすることができるので、テープの付着とカッティングを手作業なしに自動的に容易く行うことができる利点がある。よって、平たい板紙でボックスを作る時、板紙の必要な部位にテープを所望の形態に自動附着することができ、追後に板紙を折曲して自動的に板紙を附着することができるので、所望のボックス形態を容易く形成することができる利点がある。
【００１３】
また、加圧ローラーが切断したテープの上面を加圧して、テープが対象物の上にきれいで堅固に附着されることができる利点がある。
【図面の簡単な説明】
【００１４】
【図１】本発明によるテープディスペンサーが適用されたデジタルカッティングシステムのテープディスペンサーを示す斜視図である。
【図２Ａ】図１のテープディスペンサーの要部を多方向から示す図である。
【図２Ｂ】図１のテープディスペンサーの要部を多方向から示す図である。
【図２Ｃ】図１のテープディスペンサーの要部を多方向から示す図である。
【図３】図１のテープディスペンサーの要部を分解した様子を示す図である。
【図４】本発明によるテープディスペンサーが適用されたデジタルカッティングシステムのヘッドがローラーに設置された様子を簡単に示す図である。
【図５Ａ】本発明によるテープディスペンサーが適用されたデジタルカッティングシステムでテープを切断する過程を示す図である。
【図５Ｂ】本発明によるテープディスペンサーが適用されたデジタルカッティングシステムでテープを切断する過程を示す図である。
【図５Ｃ】本発明によるテープディスペンサーが適用されたデジタルカッティングシステムでテープを切断する過程を示す図である。
【図５Ｄ】本発明によるテープディスペンサーが適用されたデジタルカッティングシステムでテープを切断する過程を示す図である。
【発明を実施するための形態】
【００１５】
以下、本発明によるテープディスペンサーが適用されたデジタルカッティングシステムの実施形態を添付図面を参照して詳しく説明する。
【００１６】
図１は本発明によるテープディスペンサーが適用されたデジタルカッティングシステムのテープディスペンサーを示す斜視図であり、図２Ａ乃至図２Ｃは図１のテープディスペンサーの要部を多方向から示す図であり、図３は図１のテープディスペンサーの要部を分解した様子を示す図である。
【００１７】
そして、図４は本発明によるテープディスペンサーが適用されたデジタルカッティングシステムのヘッドがローラーに設置された様子を簡単に示す図であり、図５Ａ乃至図５Ｄは、本発明によるテープディスペンサーが適用されたデジタルカッティングシステムでテープを切断する過程を示す図である。
【００１８】
本発明によるテープディスペンサーが適用されたデジタルカッティングシステムは、対象物Ｏが設置された作業テーブル１００の上でレール２００に沿ってＸ軸、Ｙ軸、Ｚ軸の方向に動作するヘッド３００にテープディスペンサーが装着されて前記対象物ＯにテープＴを附着する装置に関するものである。特に、平たい板紙を切断し、折曲し、接着して、一定の形態のボックスを製作する場合のように、両面テープを特定部分に所望の形象に前もって附着しておけば、追後の作業が便利な場合に、本発明によるテープディスペンサーが適用されたデジタルカッティングシステムが有用に使われることができる。すなわち、本発明で使われるテープディスペンサーがレール２００に沿って立体的に動きながら平たい板紙の所望の地点、所望の形象に両面テープを付着しておけば、追後に作業者が両面テープの離型紙を引き離し、板紙を折曲し、板紙どうし付着して、所望のボックス形態に作ることができる。このような目的のために、本発明によるテープディスペンサーが適用されたデジタルカッティングシステムが使われる。
【００１９】
前記のような本発明のデジタルカッティングシステムに適用されるテープディスペンサー４００は、一方面のみに粘っこい面があるテープを対象物Ｏに附着することもでき、両面に粘っこい面がある両面テープＴを対象物Ｏに附着することもできる。両面に粘っこい面がある両面テープＴを対象物Ｏに附着する場合には、両面テープＴの一方の離型紙を引き離して一方面には粘っこい面が露出するようにして本発明のテープディスペンサー４００に供給される。
【００２０】
前記のような本発明のテープディスペンサーが適用されたデジタルカッティングシステムのテープディスペンサー４００は、支持台４１０と、前記支持台４１０の下端両側に設置される固定フレーム４２０と、前記固定フレーム４２０の間に設置されるシリンダー４３０と、前記シリンダー４３０のロード４３１の動きに応じて回動して、テープＴを切断するカッター４４０と、前記カッター４４０に連結される駆動ローラー４５０と、前記駆動ローラー４５０から回転力を受ける従動ローラー４６０と、前記固定フレーム４２０の内部に設置される移動フレーム４７０と、前記移動フレーム４７０に設置される支持ローラー体４８０と、切断したテープＴを加圧する加圧手段４９０とを有する。
【００２１】
前記支持台４１０は、上端にテープＴが巻取され、内部で上下方向に伸長する貫通ホール４１０ａが形成されている。
【００２２】
テープＴが対象物Ｏに連続的に附着しながら、支持台４１０の上端に巻き取れたテープＴが巻き戻し、こうして巻き戻したテープＴは、前記貫通ホール４１０ａを通じて下側に供給される。
【００２３】
前記固定フレーム４２０は、前記支持台４１０の下端両側に一つずつ設置される。このように設置される一対の固定フレーム４２０の間にシリンダー４３０、カッター４４０、駆動ローラー４５０、従動ローラー４６０、移動フレーム、支持ローラー体４８０、及び加圧手段４９０、などが設置される。
【００２４】
このような固定フレーム４２０の上側には、第１上部ローラー４２１と、第２上部ローラー４２２が設置される。
【００２５】
前記第１上部ローラー４２１は、前記支持台４１０の 貫通ホール４１０ａを通じて供給されるテープＴの一方面を支持する。すなわち、前記第１上部ローラー４２１はテープＴの一方面を支持し、接着剤が塗布されず粘っこくないテープＴの一方面と、接着剤が塗布され粘っこいテープＴの他方面の中で、接着剤が塗布されず粘っこくないテープＴの一方面を支持する。
【００２６】
前記第２上部ローラー４２２は、前記第１上部ローラー４２１の側方下側に設置され、前記第１上部ローラー４２１よりその直径が大きく形成され、テープＴの他方面を支持する。すなわち、前記第２上部ローラー４２２は、接着剤が塗布されて粘っこいテープＴの他方面を接触して支持する。
【００２７】
前記シリンダー４３０は、ブラケットＢにより前記固定フレーム４２０の内部に設置される。すなわち、ブラケットＢが固定フレーム４２０に設置され、このブラケットＢの終端にシリンダー４３０が回動可能に設置される。
【００２８】
このように設置されるシリンダー４３０のロード４３１の終端には、ブロック４３２が設置され、前記シリンダー４３０のロード４３１が進出又は進入する時、前記ロード４３１とともに進出又は進入する。
【００２９】
前記カッター４４０は、下端にテープＴを切断するカッティング刃４４１が備えられることであり、前記シリンダー４３０のロード４３１、詳らかには、前記シリンダー４３０のロード４３１の終端に設置されたブロック４３２に中央部が連結され、上側部が前記駆動ローラー４５０の中央部に連結される。この時、駆動ローラー４５０と連結された部分が回転軸の役目をして、シリンダー４３０のロード４３１がシリンダー４３０で進出する時、前記カッティング刃４４１が回転軸を中心として下側に回動し、ロード４３１がシリンダー４３０の内部に進入する時、カッティング刃４４１が回転軸を中心として上側に回動する。このようにカッティング刃４４１が下側に回動する時、テープＴをカッティングすることになる。
【００３０】
前記駆動ローラー４５０は、中央部が前記カッター４４０の上側部とピンＰで貫通されて連結されることであり、両端にギア歯が形成された駆動ギア４５１が備えられる。シリンダー４３０のロード４３１が進出又は進入する時、カッター４４０と駆動ローラー４５０とを連結するピンＰがカッター４４０の回転軸の役をする。
【００３１】
そして、駆動ローラー４５０は、前記カッター４４０と中央部とがピンＰで連結されるのみならず、中央部の両方もカッター４４０と連結され、カッター４４０が一定の角度を回転すれば、駆動ローラー４５０も一方向または他方向に回転されることができるようにした。すなわち、前記シリンダー４３０のロード４３１が進出又は進入して、カッター４４０が回転するようになれば、この時駆動ローラー４５０も一緒に回転するようになる。
【００３２】
前記従動ローラー４６０は、前記駆動ローラー４５０の側方下側に設置され、両端に従動ギア４６１が備えられる。
【００３３】
前記従動ギア４６１は、前記駆動ローラー４５０の駆動ギア４５１と噛合されて回転する。すなわち、駆動ギア４５１と従動ギア４６１とは、ギア歯がかみ合った状態に設置されるので、駆動ギア４５１が一方向に回転すれば、従動ギア４６１は他方向に回転するようになる。
【００３４】
前記移動フレーム４７０は、前記従動ギア４６１の外側面に設置・固定され、前記従動ローラー４６０が回転する時、一緒に回転する。すなわち、移動フレーム４７０は、従動ギア４６１の外側面に附着されることにより、従動ローラー４６０が駆動ローラー４５０から回転力を受けて回転すれば等しく回転する。
【００３５】
前記支持ローラー体４８０は、前記テープＴを支持するとともに、前記カッティング刃４４１の方にテープＴを案内する。このような支持ローラー体４８０は、第１ローラー４８１、第２ローラー４８２、第３ローラー４８３、及び第４ローラー４８４を有する。
【００３６】
前記第１ローラー４８１は、前記従動ローラー４６０のそばに設置され、前記第２上部ローラー４２２により支持され、案内されたテープＴを支持する。すなわち、前記第１ローラー４８１は接着剤が塗布されず粘っこくないテープＴの一方面と、接着剤が塗布され粘っこいテープＴの他方面との中で、接着剤が塗布されず粘っこくないテープＴの一方面を支持する。
【００３７】
前記第２ローラー４８２は、前記第１ローラー４８１の下側に設置され、前記第１ローラー４８１により支持されて案内されたテープＴを支持する。すなわち、前記第２ローラー４８２は、接着剤が塗布されず粘っこくないテープＴの一方面と、接着剤が塗布され粘っこいテープＴの他方面との中で、接着剤が塗布されず粘っこくないテープＴの一方面を支持する。
【００３８】
前記第３ローラー４８３は、前記第２ローラー４８２のそば、その中でも、前記カッター４４０に近い方に設置され、前記第１ローラー４８１と第２ローラー４８２よりその直径が大きく形成され、第２ローラー４８２により支持されて案内されたテープＴを支持する。すなわち、前記第３ローラー４８３は、接着剤が塗布されず粘っこくないテープＴの一方面と、接着剤が塗布され粘っこいテープＴの他方面との中で、接着剤が塗布されて粘っこいテープＴの他方面を接触して支持する。
【００３９】
前記第４ローラー４８４は、前記第３ローラー４８３のそば、その中でも、前記カッター４４０に近い方に設置され、前記第３ローラー４８３により案内されたテープＴを支持しながら、前記テープＴを前記カッター４４０のカッティング刃４４１の方で案内する。この時、第４ローラー４８４は、接着剤が塗布されず粘っこくないテープＴの一方面に接触されることによりテープＴの粘っこい面が対象物Ｏの方に向けるようにする。
【００４０】
前記加圧手段４９０は、前記固定フレーム４２０の下側に設置され、前記カッター４４０のカッティング刃４４１により切断したテープＴの上面を加圧する。すなわち、加圧手段４９０は、対象物Ｏに附着して切断したテープＴを加圧して対象物にテープＴを堅固に附着するためのものであり、固定台４９１と、前記固定台４９１に設置される加圧スプリング４９２と、前記加圧スプリング４９２により加圧される加圧台４９３と、前記加圧台４９３に設置される加圧ローラー４９４を有する。
【００４１】
前記固定台４９１は、両端が前記固定フレーム４２０に設置・固定される。
【００４２】
前記加圧スプリング４９２は、前記固定台４９１の底面に設置される。
【００４３】
前記加圧台４９３は、前記固定フレーム４２０に形成された嵌合ホール４２０ａに両端が挿入されて、前記嵌合ホール４２０ａに沿って上下に動く。このような加圧台４９３は、前記加圧スプリング４９２の下端に接触され、前記加圧スプリング４９２により下側に加圧される。
【００４４】
前記加圧ローラー４９４は、両端が前記加圧台４９３に回転自在に設置され、前記カッティング刃４４１により切断したテープＴの上面を加圧する。
【００４５】
前記のように構成された本発明によるテープディスペンサーが適用されたデジタルカッティングシステムの作動過程を簡単に説明する。
【００４６】
作業テープＴの上に置かれた対象物Ｏを向けてレール２００に沿ってヘッド３００を移送させる。
【００４７】
テープＴが附着される対象物Ｏの上にテープディスペンサー４００が位置すれば、テープディスペンサー４００を下側に移動させてテープＴの粘っこい面が対象物Ｏの上に接着されるようにする。
【００４８】
この状態でレール２００に沿ってヘッド３００を直線運動させれば、すなわち、移動フレーム４７０と支持ローラー体４８０とが、前側に位し、加圧手段４９０の加圧レール２００が後側から追ってくるようにヘッド３００を直線運動させれば、テープＴを対象物Ｏの上に一直線を成して連続的に附着されることができる。
【００４９】
テープＴを所望の長さほど対象物Ｏの上に附着したら、シリンダー４３０のロード４３１を前進させてカッター４４０が下側に回動するようにし、同時に駆動ローラー４５０が回動するようにし、これにより従動ローラー４６０も回動するようにし、移動フレーム４７０も下側に回動するようにする。前記のような動きにおいて、カッター４４０が下側に回動すればテープＴを切断するようになり、続いて加圧手段４９０の加圧ローラー４９４が切断したテープＴの上面を加圧する。
【符号の説明】
【００５０】
１００：作業テーブル、２００：レール、３００：ヘッド、４００：テープディスペンサー、４１０：支持台、４１０ａ：貫通ホール、４２０：固定フレーム、４２０ａ：嵌合ホール、４２１：第１上部ローラー、４２２：第２上部ローラー、４３０：シリンダー、４３１：ロード、４３２：ブロック、４４０：カッター、４４１：カッティング刃、４５０：駆動ローラー、４５１：駆動ギア、４６０：従動ローラー、４６１：従動ギア、４７０：移動フレーム、４８０：支持ローラー体、４８１：第１ローラー、４８２：第２ローラー、４８３：第３ローラー、４８４：第４ローラー、４９０：加圧手段、４９１：固定台、４９２：加圧スプリング、４９３：加圧台、４９４：加圧ローラー、Ｂ：ブラケット、Ｏ：対象物、Ｐ：ピン、Ｔ：テープ
【図１】
2017202932.tif 000003
【図２Ａ】
2017202932.tif 000004
【図２Ｂ】
2017202932.tif 000005
【図２Ｃ】
2017202932.tif 000006
【図３】
2017202932.tif 000007
【図４】
2017202932.tif 000008
【図５Ａ】
2017202932.tif 000009
【図５Ｂ】
2017202932.tif 000010
【図５Ｃ】
2017202932.tif 000011
【図５Ｄ】
2017202932.tif 000012